(57)【要約】【課題】ホストコンピュータとモバイルサーバとを、管理用コンピュータを介して接続することで、前記モバイルサーバにおけるフォーマットの変換をなくしてモバイルサーバにかかる負荷を軽減し、しかも、ホストコンピュータのセキュリティを費用をかけずに確固たるものとすることができる極めて実用的なＡＳＰサイトの管理システムを提供すること。【解決手段】ホストコンピュータと、このホストコンピュータ上のデータを利用するＡＳＰサイトを運営するモバイルサーバとを、前記モバイルサーバ上のＡＳＰサイトからダウンロードしたデータ及びホストコンピュータからダウンロードしたデータを夫々ホストコンピュータ及びＡＳＰサイトのデータフォーマットに応じて変換でき、且つ、データの通信を監視できるように構成した管理用コンピュータを介して接続したものである。【選択図】　　　　図１
2004102534.tif 000002
【特許請求の範囲】
【請求項１】
ホストコンピュータと、このホストコンピュータ上のデータを利用するＡＳＰサイトを運営するモバイルサーバとを、前記モバイルサーバ上のＡＳＰサイトからダウンロードしたデータ及びホストコンピュータからダウンロードしたデータを夫々ホストコンピュータ及びＡＳＰサイトのデータフォーマットに応じて変換でき、且つ、データの通信を監視できるように構成した管理用コンピュータを介して接続したことを特徴とするＡＳＰサイトの管理システム。
【請求項２】
種々のデータベースを有しＬＡＮの根幹を成すホストコンピュータと、このホストコンピュータ上のデータを利用するＡＳＰサイトを運営するモバイルサーバとを、前記モバイルサーバ上のＡＳＰサイトからダウンロードしたデータ及びホストコンピュータからダウンロードしたデータを夫々ホストコンピュータ及びＡＳＰサイトのデータフォーマットに応じて変換でき、且つ、データの通信を監視できると共に、前記ＡＳＰサイトのデータを所定時間毎にダウンロードすることで、前記ホストコンピュータにリアルタイムで送信できるように構成した管理用コンピュータを介して接続したことを特徴とするＡＳＰサイトの管理システム。
【発明の詳細な説明】
【０００１】
【発明の属する技術分野】
本発明は、ＡＳＰサイトの管理システムに関するものである。
【０００２】
【従来の技術及び発明が解決しようとする課題】
近年、携帯電話からのＡＳＰサイトの利用が増えている。
【０００３】
ＡＳＰとは、Ａｐｐｌｉｃａｔｉｏｎ　Ｓｅｒｖｉｃｅ　Ｐｒｏｖｉｄｅｒの略であり、インターネットを通じて、アプリケーションソフトを貸し出すサービスのことである。
【０００４】
このＡＳＰは、ユーザーが必要な期間だけ最新のソフトを利用できるため、自らソフトを購入したり技術社員を雇用したりする従来の方式に比べ、情報化投資を大幅に抑えられるという利点がある。
【０００５】
従来は、ダウンロードしたアプリケーションソフトの不正コピーが常に問題となっていたが、本発明者による特願２００１−３５２０６５号により解決しつつある。
【０００６】
ところで、上述の不正コピーの防止システムにおいては、ＡＳＰサイトの運営を行うモバイルサーバが、ＬＡＮ内のデータを管理するホストコンピュータと直接接続されている。
【０００７】
しかし、インターネットに接続されているモバイルサーバと前記ホストコンピュータとが直接接続されている場合、ＬＡＮの根幹を成すホストコンピュータのセキュリティ上好ましくないため、高度のセキュリティシステムが必要となり、著しい費用がかかるのは避けられない。
【０００８】
また、このモバイルサーバの個々のＡＳＰサイトのデータフォーマットを、個々のホストコンピュータのフォーマットと合わせるために、ホストコンピュータに応じてフォーマットの変換をこのＡＳＰサイトを有するモバイルサーバで一々行う必要がある。
【０００９】
そのため、このフォーマットの変換のためにモバイルサーバに多くの負荷がかかり、アクセスが集中しなくてもＡＳＰサイトの動作が遅くなる場合があり、また、前記ホストコンピュータのセキュリティ上も好ましくない。
【００１０】
本発明は、上述のような現状に鑑み、ホストコンピュータとモバイルサーバとを、管理用コンピュータを介して接続することで、前記モバイルサーバにおけるフォーマットの変換をなくしてモバイルサーバにかかる負荷を軽減し、しかも、ホストコンピュータのセキュリティを費用をかけずに確固たるものとすることができる極めて実用的なＡＳＰサイトの管理システムを提供するものである。
【００１１】
【課題を解決するため手段】
添付図面を参照して本発明の要旨を説明する。
【００１２】
ホストコンピュータと、このホストコンピュータ上のデータを利用するＡＳＰサイトを運営するモバイルサーバとを、前記モバイルサーバ上のＡＳＰサイトからダウンロードしたデータ及びホストコンピュータからダウンロードしたデータを夫々ホストコンピュータ及びＡＳＰサイトのデータフォーマットに応じて変換でき、且つ、データの通信を監視できるように構成した管理用コンピュータを介して接続したことを特徴とするＡＳＰサイトの管理システムに係るものである。
【００１３】
また、種々のデータベースを有しＬＡＮの根幹を成すホストコンピュータと、このホストコンピュータ上のデータを利用するＡＳＰサイトを運営するモバイルサーバとを、前記モバイルサーバ上のＡＳＰサイトからダウンロードしたデータ及びホストコンピュータからダウンロードしたデータを夫々ホストコンピュータ及びＡＳＰサイトのデータフォーマットに応じて変換でき、且つ、データの通信を監視できると共に、前記ＡＳＰサイトのデータを所定時間毎にダウンロードすることで、前記ホストコンピュータにリアルタイムで送信できるように構成した管理用コンピュータを介して接続したことを特徴とするＡＳＰサイトの管理システムに係るものである。
【００１４】
【発明の実施の形態】
好適と考える本発明の実施の形態（発明をどのように実施するか）を、図面に基づいてその作用効果を示して簡単に説明する。
【００１５】
ホストコンピュータのデータを利用してモバイルサーバ上でＡＳＰサイトを運営する。
【００１６】
このホストコンピュータは他のコンピュータとＬＡＮを構築し、インターネットと接続されているモバイルサーバと接続している。
【００１７】
このホストコンピュータは、種々のデータ及びデータベースを有し、ＬＡＮ内のデータを管理するものであり、ＬＡＮの根幹を成すものである。
【００１８】
また、モバイルサーバは、様々なところから同時にアクセスでき、このモバイルサーバ上で並列して作業を行うことができるものである。
【００１９】
本発明は、このモバイルサーバとホストコンピュータとを、前記モバイルサーバが従来行っていた作業を分担して処理することができる管理用コンピュータを介して接続するものである。
【００２０】
具体的には、この管理用コンピュータは、前記モバイルサーバから前記ホストコンピュータへのデータ通信の際に、異常なデータが混じっていないかを常に監視して、前記モバイルサーバと共に二重に監視することができるように構成している。
【００２１】
即ち、異常なデータが入り込もうとした場合でも、通信の際にモバイルサーバと管理用コンピュータとで二重にデータ通信をチェックすることで確実に発見して排除できる。
【００２２】
更に、この管理用コンピュータは、ダウンロードした前記ＡＳＰサイトのデータ及びホストコンピュータのデータを夫々ホストコンピュータ及びＡＳＰサイトに合ったフォーマットに変換することができるように構成している。
【００２３】
即ち、モバイルサーバ上の個々のＡＳＰサイトを夫々ホストコンピュータに合ったフォーマットに変換する必要がないから、モバイルサーバの負荷が軽減されて他の作業に支障がでない。
【００２４】
従って、インターネットと接続したウィルス等の様々なデータが侵入し易い前記モバイルサーバと、ＬＡＮの根幹を成す前記ホストコンピュータとが直接接続されないから、インターネット側から送信されるデータは前記モバイルサーバ及び管理用コンピュータとで二重にチェックすることができ、一重のみで完全な防護壁を構築しようとする場合と比べて費用をかけずに重要なデータベースを有するホストコンピュータをより確実に外部と隔離して極めて安全な状態でＡＳＰサイトを運営することができる。
【００２５】
しかも、この管理用コンピュータは、前記ＡＳＰサイトのデータをそのままのフォーマットでダウンロードして、このデータをホストコンピュータのフォーマットに変換することができ、同様に前記ホストコンピュータからダウンロードしたデータも前記ＡＳＰサイトのフォーマットに変換することができるから、前記モバイルサーバ上のＡＳＰサイトのデータを統一したフォーマットで管理することができ、従来、前記ホストコンピュータに合わせてフォーマットの変換を行っていたモバイルサーバの負荷が軽減されて、快適にＡＳＰサイトを利用することができるようになる。
【００２６】
従って、本発明は、ホストコンピュータとモバイルサーバとを、管理用コンピュータを介して接続することで、前記モバイルサーバにおけるフォーマットの変換をなくしてモバイルサーバにかかる負荷を軽減し、しかも、ホストコンピュータのセキュリティを費用をかけずに確固たるものとすることができる極めて実用的なＡＳＰサイトの管理システムを提供できることとなる。
【００２７】
【実施例】
本発明の具体的な実施例について図面に基づいて説明する。
【００２８】
本実施例は、種々のデータベースを有しＬＡＮの根幹を成すホストコンピュータと、このホストコンピュータ上のデータを利用するＡＳＰサイトを有し、インターネットと接続しているモバイルサーバとを、前記モバイルサーバ上のＡＳＰサイトからダウンロードしたデータ及びホストコンピュータからダウンロードしたデータを夫々ホストコンピュータ及びＡＳＰサイトのデータフォーマットに応じて変換でき、且つ、データの通信を監視できるように構成した管理用コンピュータを介して接続した構成である。
【００２９】
従って、前記ホストコンピュータと前記モバイルサーバとを直接接続するのではなく、前記管理用コンピュータを間に挟んだ状態で接続して前記モバイルサーバが従来行っていた作業をこの管理用コンピュータが分担することで、モバイルサーバが行う外部との通信作業をより効率的に処理することができるように構成したものである。
【００３０】
具体的には、この管理用コンピュータは、前記ホストコンピュータへのデータ通信の際に、異常なデータが混じっていないかを常に監視して、前記モバイルサーバと共に二重に監視するように構成している。
【００３１】
更に、この管理用コンピュータは、前記モバイルサーバ上のＡＳＰサイトのデータの変更を所定時間毎（例えば３０秒毎）にダウンロードして前記ホストコンピュータに送信するように構成している。
【００３２】
即ち、ＡＳＰサイト上のデータの変更をリアルタイムで取り込むことができるように構成している。
【００３３】
その上、この管理用コンピュータは、ダウンロードした前記ＡＳＰサイトのデータ及びホストコンピュータのデータを夫々ホストコンピュータ及びＡＳＰサイトに合ったフォーマットに変換することができるように構成している。
【００３４】
この際、ダウンロードした前記ＡＳＰサイトのデータを照会して修正することができるように構成している。
【００３５】
また、前記ホストコンピュータ用のデータのフォーマット変換は、所定時間毎にするように構成してもいいし、任意に手動で行えるように構成してもよく、また、その両方をできるように構成してもよい。
【００３６】
更に具体的にこのシステムを携帯電話用アプリケーションである例えばＩアプリ（商標）受発注システムに適用した場合について説明する。
【００３７】
Ｉアプリ（商標）受発注システムは、前記モバイルサーバをＬｉｎｕｘサーバとし、このＬｉｎｕｘサーバ上のＡＳＰサイトを通じて小売店と卸業者とが夫々携帯電話とホストコンピュータ（基幹ホスト）とで商品の受発注を行うものである。
【００３８】
従って、本実施例においては、前記Ｌｉｎｕｘサーバと基幹ホストとを、管理用コンピュータであるＩアプリ（商標）受発注用サーバを介して接続した構成である（図１）。
【００３９】
データの流れを説明すると、先ず小売店が携帯電話からＡＳＰサイトに発注データを送信する。
【００４０】
この際、発注データを受信したＬｉｎｕｘサーバから携帯電話に発注履歴がメールで送信される。
【００４１】
尚、この発注履歴は、小売店のコンピュータにメールで送信することもできるし、小売店のＦＡＸに発注確認書として送信することもできる。
【００４２】
また、この発注データは、前記ＬｉｎｕｘサーバからＩアプリ（商標）受発注用サーバでリアルタイムにダウンロードされて基幹ホストのフォーマットに変換される。
【００４３】
この基幹ホストのフォーマット変換された発注データは、基幹ホストに取り込まれて受注が完了する。
【００４４】
また、この基幹ホストで受注が完了して減少した在庫の商品データは、前記Ｉアプリ（商標）受発注用サーバに送信され、ＡＳＰサイトのフォーマットに変換されて商品差分データとしてこのＡＳＰサイトに送られて随時アップデートされる。
【００４５】
本実施例は上述のように構成したから、インターネットと接続したウィルス等の様々なデータが侵入し易い前記Ｌｉｎｕｘサーバと、ＬＡＮの根幹を成す前記基幹ホストとが直接接続されないから、インターネット側から送信されるデータは前記Ｌｉｎｕｘサーバ及びＩアプリ（商標）受発注用サーバとで二重にチェックすることができ、一重のみで完全な防護壁を構築しようとする場合と比べて費用をかけずに重要なデータベースを有するホストコンピュータをより確実に外部と隔離して極めて安全な状態でＡＳＰサイトを運営することができる。
【００４６】
しかも、このＩアプリ（商標）受発注用サーバは、前記ＡＳＰサイトのデータをそのままのフォーマットでダウンロードして、このデータを基幹ホストのフォーマットに変換することができ、同様に前記基幹ホストからダウンロードしたデータも前記ＡＳＰサイトのフォーマットに変換することができるから、前記Ｌｉｎｕｘサーバ上のＡＳＰサイトのデータを統一したフォーマットで管理することができ、従来、前記基幹ホストに合わせてフォーマットの変換を行っていたＬｉｎｕｘサーバの負荷が軽減されて、快適にＡＳＰサイトを利用することができるようになる。
【００４７】
従って、本実施例は、ホストコンピュータとモバイルサーバとを、管理用コンピュータを介して接続することで、前記モバイルサーバにおけるフォーマットの変換をなくしてモバイルサーバにかかる負荷を軽減し、しかも、ホストコンピュータのセキュリティを費用をかけずに確固たるものとすることができる極めて実用的なＡＳＰサイトの管理システムとなる。
【００４８】
【発明の効果】
本発明は上述のように構成したから、ホストコンピュータとモバイルサーバとを、管理用コンピュータを介して接続することで、前記モバイルサーバにおけるフォーマットの変換をなくしてモバイルサーバにかかる負荷を軽減し、しかも、ホストコンピュータのセキュリティを費用をかけずに確固たるものとすることができる極めて実用的なＡＳＰサイトの管理システムとなる。
【図面の簡単な説明】
【図１】本実施例の構成概略説明図である。
【図１】
2004102534.tif 000003